(57)【要約】【課題】  従来本を挟み支える本立て装置類では、本箱としての底板、両側板、背面の板、及び横木等に依る枠体が必要であった。このため、この枠体を構成する構造が複雑であり、かつデザイン的にも問題であった。本発明の目的は、これら枠体を必要としないで、腕の付け根部に、腕の傾斜と倒立の二状態を現す機能を納める事にある。【解決手段】  ▲１▼内周がＣ（シー）形筒形状の軸受けの内に、腕の付け根部の滑り回動できる円柱形状体回動軸を必要数収納、又は、▲２▼回動軸中心点軸穴に、その必要数を軸棒に通す。この▲１▼・▲２▼の２方法によって腕の付け根部に腕を櫛の歯の如く並列並存させる。この事によって、腕の傾斜と倒立の二状態を起こせしめる機能が全て、櫛の如く腕の付け根部に納まった装置であるから、底板一枚の上に腕の付け根部を横設する事によって腕が本を挟み支える本立て機能が成り立つ。【選択図】  図６
2006158915.tif 000002
【特許請求の範囲】
【請求項１】
短冊板状の腕１の付け根部の片面上に、円柱形状体の回動軸２を形成し、この回動軸２に対して、内周がほぼＣ（シー）形状に開口された筒形状の軸受け３の内に、必要数の腕１の回動軸２を通し、櫛の歯の如く並列させ、軸受け３の内で回動軸は、軸受けの開口内で自在に滑り回動でき、そして回動軸２より上端方向に少し離して内側に腕１を必要角折り曲げ、この折り曲げられた付け根部の下表面がＣ（シー）形軸受け３の内周底と接触して止まり、全腕がこの方向でそろい、又、折り曲げられた腕１の上面とＣ（シー）形軸受け３の開口部上終端とが接触して回動が止まることを特徴とする櫛形本立て装置。
【請求項２】
請求項１記載のＣ（シー）形軸受け３の外郭を、開口部を欠いて角棒状軸受け３Ａを成した請求項１記載の櫛形本立て装置。
【請求項３】
請求項１記載のＣ（シー）形軸受け３相当に、本立ての底板４後方終端部を折り曲げ、筒形状のＣ（シー）形軸受け３と成した請求項１記載の櫛形本立て装置。
【請求項４】
請求項１、２又は３記載の、回動軸２の中心点に軸穴５を空け、その軸穴に軸棒６を通した請求項１，２又は３記載の櫛形本立て装置。
【請求項５】
上記回動軸２の必要数を軸棒６に通し、軸棒両端の腕１の回動軸部を本立ての底板４に前方傾斜状態で固定し、その本立ての底板に本を置く時、本に押された腕１が軸棒６を支点として倒立状態に成る回動軸２のその位置に、突出部２Ａを形成し、その突出部２Ａが底板４と接触して回動軸２の回動が止まる請求項４記載の櫛形本立て装置。
【請求項６】
請求項４記載の回動軸２を必要数、軸棒６に通し、その軸棒の両端に来る二つの回動軸を、底板４より必要寸法離して底板に固定し、腕１の自重による傾斜から倒立までの回動角相応に、回動軸２の底部に刻み取り７を設け、この刻み取りの内に、底板４に横設したＬ棒８の上端部を入れ、回動軸刻み取りの前縁７ＡとＬ棒前縁８Ａとの接触で、腕１が傾斜して止まり、刻み取り後ろ縁７ＢとＬ棒後ろ縁８Ｂとの接触で倒立して止まる請求項５記載の櫛形本立て装置。
【請求項７】
上記刻み取り７の前端７Ａを、底板に横設した角棒９の上に乗せて、所定の、自重による傾斜を得、本の押圧による腕の倒立は、刻み取り後端７Ｂと角棒の後ろ側横縁９Ｂとの接触で、倒立して止まる、請求項６記載の櫛形本立て装置。
【請求項８】
軸受け３又は角棒状軸受け３Ａ又は軸棒６の両端に来る二つの腕を、傾斜状態で固定することを特徴とする、請求項１，２，３，５，６又は７記載の櫛形本立て装置。
【請求項９】
軸穴と軸棒を、ネジ穴とネジ棒とする請求項１，２，３，４，５，６，７又は８記載の櫛形本立て装置。
【発明の詳細な説明】
【技術分野】
【０００１】  本発明は、本を両側から挟んで本を倒さない本立て装置に関するものである。
【背景技術】
【０００２】  従来から本を両側から挟んで倒れない本立てがあった。
【特許文献１】実開平５−８４２３０
【特許文献２】特開２０００−５０９７９
【特許文献３】実願２００１−６８１３（Ｕ２００１−６８１３）
【発明の開示】
【発明が解決しようとする課題】
【０００３】    上記従来本立て装置類では、本箱としての底板、両側板、背面の板及び横木等に依る枠体が必要であった。このため、この枠体を構成する構造が複雑であり、かつ、デザイン的にも問題であった。このような問題を解決することを本発明の課題とする。
【課題を解決するための手段】
【０００４】本発明に於いて上記課題を解決する手段を列挙していけば、手段▲１▼短冊板状の腕１の付け根部の片面上に、円柱形状体の回動軸２を形成し、この回動軸に対して、内周がほぼＣ（シー）形状に開口された筒形状の軸受け３の内に、必要数の腕１の回動軸２を通し、櫛の歯の如く並列させ、軸受け３の内で回動軸は、軸受けの開口内で自在に滑り回動でき、そして回動軸２より上端方向に少し離して内側に腕１を必要角折り曲げ、この折り曲げられた付け根部の下表面がＣ（シー）形軸受け３の内周底と接触して止まり、全腕がこの方向でそろい、又、折り曲げられた腕１の上面とＣ（シー）形軸受け３の開口部上終端とが接触して回動が止まる装置。【０００５】  手段▲２▼請求項１記載のＣ（シー）形軸受け３の外郭を、開口部を欠いて角棒状軸受け３Ａを成した装置。【０００６】  手段▲３▼本立ての底板４後方終端部を折り曲げ、筒形状のＣ（シー）形軸受け３と成した装置。【０００７】  手段▲４▼請求項１，２又は３記載の回動軸２の中心点に軸穴５を空け、その軸穴に軸棒６を通した装置。【０００８】  手段▲５▼請求項４記載の回動軸２の必要数を軸棒６に通し、軸棒両端の腕１の回動軸部を本立ての底板４に前方傾斜状態で固定し、その本立ての底板に本を置く時、本に押された腕１が軸棒６を支点として倒立状態に成る回動軸２のその位置に、突出部２Ａを形成し、その突出部が底板と接触して回動軸の回動が止まる装置。【０００９】    手段▲６▼請求項４記載の回動軸２を必要数、軸棒６に通し、その軸棒の両端に来る二つの回動軸を、底板４より必要寸法離して底板に固定し、腕１の自重による傾斜から倒立までの回動角相応に、回動軸２の底部に刻み取り７を設け、この刻み取りの内に、底板４に横設したＬ棒８の上端部を入れ、回動軸刻み取りの前縁７ＡとＬ棒前縁８Ａとの接触で、腕１が傾斜して止まり、刻み取り後ろ縁７ＢとＬ棒後ろ縁８Ｂとの接触で倒立して止まる装置。【００１０】    手段▲７▼上記回動軸の刻み取り７の前端７Ａを、底板に横設した角棒９の上に乗せて、所定の、自重傾斜を得、本の押圧による腕の倒立は、刻み取り後端７Ｂと角棒の後ろ側横縁９Ｂとの接触で、倒立して止まる装置。【００１１】    手段▲８▼請求項１，２又は３記載の軸受け３、又は、角棒状軸受け３Ａ、又は、請求項５、６又は７記載の軸棒６の両端にくる腕の付け根部を傾斜状態で固定する。収納した本の内、両端の本をそこで留めることができる。請求項５、６又は７記載の回動軸は円柱形状体に限らず、例えば、棒状体に軸穴を空け、刻み取りを設けたものでよい。【００１２】    手段▲９▼全ての軸穴と軸棒を、ネジ穴とネジ棒に成して、自在に腕の間隔を空ける。単なる軸棒に対しては、必要間隔に介在物入れ固定して、腕の間隔を定めることができる。
【発明の効果】
【００１３】  腕の付け根部に、腕の傾斜と倒立の二状態を起こせしめる機能が全て納まった装置であるから、枠体という複雑な構造を必要としないで、底板一枚と、本発明のみで、又は、底板を備えた本発明のみで、腕が本を挟み支える本立て機能が成り立つ。この構造のシンプルさは、当然、ローコスト性と使用上の応用性と機能美を有するデザイン性という効果が備わっている。
【発明を実施するための最良形態】
【実施例１】
【００１４】  図１、２の如く、短冊板状の腕１の付け根部下端の片面上に、円柱形状体の回動軸２を形成し、この回動軸に対して、内周がほぼＣ（シー）形状に開口された筒形状の軸受け３の内に、必要数の腕１の回動軸２を通し、櫛の歯の如く並列させ、軸受け３の内で回動軸は、軸受けの開口内で自在に滑り回動でき、そして回動軸２より上端方向に少し離して内側に腕１を必要角折り曲げ、この折り曲げられた付け根部の下表面がＣ（シー）形軸受け３の内周底と接触して止まり、全腕がこの方向でそろい、又、折り曲げられた腕１の上面とＣ（シー）形軸受け３の開口部上終端とが接触して回動が止まる。又、腕１の上端近くを、わずかに内側に折り曲げる。本の押圧時、腕の上端が、本に引っ掛けたり、傷めたりしない為、又デザイン的にも優れる。【００１５】図３の如く、Ｃ（シー）形軸受け３を、本を立てる底板４の後方の縁に、強力な接着剤又はその他で固定させる。更に又、底板の長さに合わせてＣ（シー）形軸受け３を複数個延長もできる。【００１６】図３の如く、底板４に取り付けられたこの本立て装置の腕は、自重によって、回動軸２底面がＣ（シー）形軸受け３の内底面に接触するまで回動し、本方向（前方）に傾斜して止まる。
この如く全腕がそろい、傾斜する。【００１７】図６の如く、この底板上前方より本を入れる時、本に押された腕は後方に回動して倒立し、本の両側の腕は傾斜したままで本を両側より挟み支える。本を取り去ると、本を追って腕１は、その自重によって傾斜復元し、その両側の本の倒れ込みを即座に防ぐ。全ての本は倒れ込みが無く、腕１が本の倒れ込みの重圧で傷む事はない。【００１８】このＣ（シー）形軸受け３の中に入った必要数の腕のうち軸受けの両端にくる二つの腕１を傾斜のままで固定すれば、収められた本類の両端を支える事が出来る。又、この両端の腕の軸穴５は、軸棒の両端を支える軸棒受けとなる。
【実施例２】
【００１９】図４の如く、Ｃ（シー）形状の軸受け３の外郭を、開口部を欠いて角棒状軸受け３Ａと成す。【００２０】図５の如く、角棒状軸受け３Ａを、底板上に設置する時は、実施例１の如くであるが、角棒状軸受けの背面を、本箱やその他の本を置ける場所の背面に固定して櫛形本立て機能が得られる。
【実施例３】
【００２１】図６の如く、底板４の後方終端部を折り曲げ、筒形状のＣ（シー）形軸受け３を形成する。この軸受け３の内に、必要数の腕１の回動軸２を通す。
【実施例４】
【００２２】図７の如く、腕１の回動軸の中心点に、軸穴５を空け、その回動軸２の必要数を軸棒６に通す。軸棒の両端に来る腕を、傾斜状態で底板４に固定する。その本立ての底板に本を置くとき、腕１が軸棒６を支点として、倒立状態になる。その時の回動軸４のその位置に、突出部２Ａを形成し、その突出部が底板４と接触して回動軸２の回動が止まる。その状態に成る突出部を回動軸に形成する。必要に応じ、両端の腕を、わずかに底板より浮かして底板に固定する。中間の腕の回動時、底板との接触を防ぐためである。
【実施例５】
【００２３】図８の如く、請求項４記載の回動軸２を必要数、軸棒６に通し、その軸棒の両端に来る二つの回動軸を、底板４より必要寸法離して底板に固定し、腕１の自重による傾斜から倒立までの回動角相応に、回動軸２の底部に刻み取り７を設け、この刻み取りの内に、底板４に横設したＬ棒８の上端部を入れ、回動軸刻み取りの前縁７ＡとＬ棒前縁８Ａとの接触で、腕１が傾斜して止まり、刻み取り後ろ縁７ＢとＬ棒後ろ縁８Ｂとの接触で倒立して止まる。
【実施例６】
【００２４】図９の如く、実施例５の回動軸４の刻み取り７の前縁７Ａを、底辺に横設した角棒９の上に乗せて所定の傾斜で止まり、刻み取りの後ろ縁７Ｂと、角棒の後ろ側横縁９Ｂとの接触で倒立して止まる。この場合、刻み取りの前縁７Ａよりも後ろ縁７Ｂの方が長くなければならない。
【実施例７】
【００２５】Ｃ（シー）形状、又は角棒状の軸受け、又は軸棒６の両端にくる二つの腕を傾斜状態で固定すれば、収納した本のうち両端の本をそこで留める事ができる。
【実施例８】
【００２６】軸穴と軸棒を、ネジ穴とネジ棒にすれば、このことによって、腕と腕に必要間隔を空けることができ、使用経過に従って腕と腕が詰まり接触して、各個別の回動の機能の喪失の可能性をなくす。単なる軸棒には必要間隔に介在物を入れ固定して腕間隔を定めることができる。
【実施例９】
【００２７】  実施例４、実施例５、実施例６の回動軸は円柱形状体に限らない。傾斜・倒立の二状態を現せるなら、例えば、棒状体に軸穴を空け、刻み取りを設けたものでよい。
【図面の簡単な説明】
【００２８】
【図１】  Ｃ（シー）形状軸受けと腕１の動作図。
【図２】  本発明Ｃ（シー）形状軸受け方式の全体図。
【図３】  底板に固定した本発明Ｃ（シー）形状軸受け方式の全体図。
【図４】  本発明Ｃ（シー）形状軸受け方式の全体図。
【図５】  底板に固定した本発明Ｃ（シー）形状軸受け方式の全体図。
【図６】  本発明底板曲げ方式の使用動作全体図。
【図７】  請求項６の本発明の動作図。
【図８】  請求項７の本発明の動作図。
【図９】  請求項８の本発明の動作図。
【符号の説明】
【００２９】  １    本を挟み支える腕
２    回動軸
２Ａ  回動軸上突出部
３    軸受け
３Ａ  角棒状軸受け
４    底板
５    軸穴
６    軸棒
７    回動軸上刻み取り
７Ａ  刻み取り前縁
７Ｂ  刻み取り後ろ縁
８    Ｌ棒
８Ａ  Ｌ棒前縁
８Ｂ  Ｌ棒後ろ縁
９    角棒
９Ｂ  角棒後ろ横縁
１０  本
【図１】
2006158915.tif 000003
【図２】
2006158915.tif 000004
【図３】
2006158915.tif 000005
【図４】
2006158915.tif 000006
【図５】
2006158915.tif 000007
【図６】
2006158915.tif 000008
【図７】
2006158915.tif 000009
【図８】
2006158915.tif 000010
【図９】
2006158915.tif 000011